(57)【要約】【課題】内面に多数枚の断熱材が配置された型枠を使用して、コンクリートを打設する基礎断熱工法において、断熱材を隙間なく並べてコンクリートの流れ現象を防止する。【解決手段】型枠２，３の型板４に断熱材１３を並べていくにおいて、先行した断熱材１３とこれに続く断熱材１３とを両面粘着テープ１７で接合する。隣り合った断熱材１３は位置ずれのない状態に整然と配置されると共に、断熱材１３の端面に凹凸（不陸）があっても、凹凸を吸収して隙間なく接合できる。防蟻剤入りの断熱材１３を使用した場合、防蟻剤入りの両面粘着テープ１７を使用することにより、接合部からシロアリが浸入することも防止できる。【選択図】図３
2016223281.tif 000002
【特許請求の範囲】
【請求項１】
内面に断熱材が配置された型枠をセットし、次いで、コンクリートを前記断熱材の側に打設することにより、断熱材が一体に接合されたコンクリート製の基礎又は壁を施工する構成であって、
前記断熱材は複数枚が並べて使用されており、隣り合った断熱材同士を両面粘着テープで接合している、
建物の施工方法。
【請求項２】
前記型枠は建物の基礎を施工するためのものであって、その内面に複数枚の断熱材が水平方向に並べて配置されており、コンクリートの打設後に前記型枠を取り外す工法において、
前記断熱材の群を、前記型枠に、前記両面粘着テープで接合した状態で並べて配置している、
請求項１に記載した建物の施工方法。
【請求項３】
隣り合った断熱材の相対向した部位に、複数枚の両面粘着テープが、全面に亙って又は部分的に配置されている、
請求項１又は２に記載した建物の施工方法。
【請求項４】
前記断熱材及び両面粘着テープは防蟻剤を混入したものが使用されている、
請求項１〜３のうちのいずれに記載した建物の施工方法。
【請求項５】
前記断熱材及び両面粘着テープに混入している防蟻剤は、チアメトキサム又はその他のネオニコチノイド系である、
請求項４に記載した建物の施工方法。
【請求項６】
基材テープに粘着層を塗工してロール状に巻いた構成であって、
前記粘着層は、厚さ寸法はおおよそ２．０ｍｍ以上で幅寸法は前記基材テープの幅寸法よりも小さい寸法であり、前記基材テープの左右長手側縁には、前記粘着層が重なっていない余白部が存在している、
建物の施工に使用する両面粘着テープ。
【請求項７】
四角形に形成された断熱材を複数枚用意し、隣り合った断熱材の端面同士が重なるように配置して断熱層を施工する方法であって、
隣り合った断熱材の端面同士を、厚さがおおよそ２．０〜６．０ｍｍの両面粘着テープによって接合することにより、前記隣り合った断熱材の端面間に不陸があっても前記両面粘着テープによって吸収することを可能ならしめている、
建物の施工方法。
【請求項８】
四角形に形成された断熱材を複数枚用意し、隣り合った断熱材の端面同士が重なるように配置して断熱層を施工する方法であって、
隣り合った断熱材の端面同士を、両面粘着テープを複数回重ね貼りして成る積層粘着層で接合することにより、前記隣り合った断熱材の端面間に不陸があっても前記積層粘着層によって吸収することを可能ならしめている、
建物の施工方法。
【発明の詳細な説明】
【技術分野】
【０００１】
本願発明は、コンクリート製の基礎や壁に断熱材が貼られている建物の施工方法、及び、建物の施工に使用する両面粘着テープに関するものである。
【背景技術】
【０００２】
空調コストの抑制や住環境の向上のために、建物に断熱性を持たせることが広く行われている。断熱工法には発泡スチロール等の発泡樹脂製断熱材が広く使用されており、多数枚の断熱材が並べた状態で基礎や壁に貼られている。
【０００３】
そして、断熱材の貼設方法としては、構築された基礎や壁に後加工で貼っていく方法と、コンクリート打設用型枠に断熱材を予め固定しておいて、基礎や壁の施工と同時に断熱材を一体的に固着する方法とがある。後者の例が特許文献１に開示されており、この特許文献１では、基礎断熱の施工方法において、断熱材を防蟻シートで覆った状態でコンクリートを打設している。
【先行技術文献】
【特許文献】
【０００４】
【特許文献１】特開２０００−２７３９７７号公報
【発明の概要】
【発明が解決しようとする課題】
【０００５】
さて、建物の基礎も壁も相当の表面積があるため、１つの面に多数枚の断熱材が使用されている。これらの断熱材は四角形（直角四辺形）になっており、個々の現場に合わせて長さや幅を予め寸法を揃えている場合もあるし、現場で必要な寸法にカットする場合もある。予め寸法を揃えている場合でも、実際の寸法と設計図とは多少相違することが多いので、現場でカットして微調整（現場合わせ）しているのが一般的である。
【０００６】
いずれにしても、基礎や壁の一面に配置されるものは、隣り合った断熱材がその端面同士を当接させた状態で水平方向や上下方向に並べて配置されており、コーナー部では、一方の断熱材の端面を他方の断熱材の広幅面に当接させている。なお、コーナーでは、隣り合った２つの断熱材の端部を斜めにカットして突き合わせることも可能である。
【０００７】
このように多数枚の断熱材が並べて使用されているが、建物の施工精度はかなりラフであるため、隣り合った断熱材の高さが不揃いになったり、隣り合った断熱材の間に隙間が空いてしまったり、カット面に凹凸（不陸）が生じて接合面に部分的に隙間が空いてしまったりすることがある。そして、図８に例示するように、隣り合った断熱材Ｐの間に隙間Ｓがあると、打設したコンクリートＰが隙間Ｓを通って外側に流れてしまい、断熱性の低下等の問題を引き起こすおそれがある。なお、図７（Ａ）の符号Ｋは型板を示す。
【０００８】
また、木造建築物では、防蟻剤入りの断熱材を使用することによってシロアリの被害を防止することも行われているが、隣り合った断熱材Ｐの間にコンクリートＣが流れ込んでいると、図７（Ｂ）に点線矢印で示すように、コンクリートＣと断熱材Ｐとの間の隙間からシロアリが浸入し易くなるため、防蟻性能が低下するおそれもある。
【０００９】
これらの点について、隣り合った断熱材の内面（コンクリートが打設される側の面）にクラフトテープのような片面粘着テープを貼って目張りすることが行われているが、片面粘着テープの貼り方が不完全であったり破れたりすることがあるため、コンクリートの流れ現象を完全に防止するには至っていないのが現状である。
【００１０】
また、片面粘着テープで目張りしても隙間は残ったままであるため、断熱性能の低下等の問題は依然として残っており、更に、木造建築物の場合、断熱材Ｐとして防蟻剤入りのものを使用しても、シロアリは隙間を通って難なく浸入できるため、防蟻性能が著しく低下してしまって、防蟻剤入りの断熱材Ｐを使用した意味がなくなってしまうという致命的な欠陥が生じる。
【００１１】
特に、加工誤差や施工誤差によって断熱材の間の全体にわたって隙間があると、シロアリはここから自由に浸入できるため、防蟻性の断熱材を使用した意味が全く無くなってしまう。従って、基礎の施工後に隙間がないか否かを人目で確認し、隙間があると防蟻性シール材を注入しなければならず、これに多くの手間がかかっていた。
【００１２】
本願発明は、このような現状を改善すべく成されたものである。
【課題を解決するための手段】
【００１３】
本願発明は様々な構成を含んでおり、これらの典型を各請求項で特定している。このうち、請求項１の発明は施工方法に関するものであり、内面に断熱材が配置された型枠をセットし、次いで、コンクリートを前記断熱材の側に打設することにより、断熱材が一体に接合されたコンクリート製の基礎又は壁を施工する構成において、前記断熱材は複数枚が並べて使用されており、隣り合った断熱材同士を両面粘着テープで接合している点を特徴にしている。
【００１４】
請求項１の発明は、様々に展開することができる。その例として請求項２の発明では、前記型枠は建物の基礎を施工するためのものであって、その内面に複数枚の断熱材が水平方向に並べて配置されており、コンクリートの打設後に前記型枠を取り外す工法において、前記断熱材の群を、前記型枠に、前記両面粘着テープで接合した状態で並べて配置している。
【００１５】
また、請求項３の発明では、請求項１又は２において、隣り合った断熱材の相対向した部位に、複数枚の両面粘着テープが、全面に亙って又は部分的に配置されている。
【００１６】
請求項４の発明は木造建物に好適な構成として具体化したもので、この発明は、請求項１〜３のうちのいずれにおいて、前記断熱材及び両面粘着テープは防蟻剤を混入したものが使用されている。更に、請求項４の好適な例として請求項５の発明は、  前記断熱材及び両面粘着テープに混入している防蟻剤は、チアメトキサム又はその他のネオニコチノイド系である。なお、防蟻剤は粘着剤に練り込んでおいたらよい。
【００１７】
ネオニコチノイド系の他の防蟻剤成分としては、イミダクトプリド、アセタミプリド、クロチアニジン、ジノテフランなどが挙げられる。他の化学系防蟻剤としては、ピレスロイド系のベルメトリン、トラロメトリン、ビフェントリン、シフェノトリン、プラレトリンが挙げられ、非エステルピレスロイド系のエトフェンブロックス、シラフルオフェン、フェニルピロール系のクロルフェナピル、フェニルピラゾール系のフィプロニル、カーバメイト系としてフェノブカルブなどが挙げられ。天然物系のものも使用できる。
【００１８】
本願発明において、断熱材が配置されている型枠はコンクリートの打設後に取り外してもよいし、そのまま存置してもよい。すなわち、本願発明は、残存型枠（パネル）を使用した工法にも適用できる。また、断熱材は基礎や壁の片側だけに配置してもよいし、両側に配置してもよい。すなわち、相対向して配置された一対の型枠のうちの片方のみに断熱材を配置した構成と、両方の型枠に断熱材を配置した構成との両方を含んでいる。
【００１９】
断熱材を型枠に脱落不能に配置する方法としては、接着剤や両面粘着テープで固定する方法や、セパレータを利用して固定する方法、或いは、断熱材の群のうち端に位置したものを片面テープで型枠に固定する方法など、任意の方法を採用できる。残存型枠に適用する場合は、型内に残存型枠を配置して発泡成形する方法を採用するのが合理的であり、この場合は、断熱材は残存型枠と同じ大きさになるのが普通である。
【００２０】
更に、隣り合った断熱材の間に隙間や空洞が生じている場合、その空洞を埋めるのにシール剤を使用することも可能である。すなわち、本願発明は、隙間が大きい場合は、両面粘着テープとシール剤とを併用することも可能である。なお、本願発明では、接着と粘着とを峻別する必要はなく、両者とも固定手段として共通している。
【００２１】
本願発明は、建物施工用の両面粘着テープも含んでおり、この両面粘着テープは、請求項６に記載したように、基材テープに粘着層を塗工してロール状に巻いた構成であって、前記粘着層は、厚さ寸法はおおよそ２．０ｍｍ以上で幅寸法は前記基材テープの幅寸法よりも小さい寸法であり、前記基材テープの左右長手側縁には、前記粘着層が重なっていない余白部が存在している。粘着層の厚さは、２．５〜５ｍｍ程度が好ましい。
【００２２】
請求項７では、請求項６に記載した両面粘着テープを使用した施工方法の一例を示している。このうち、請求項７の発明は、四角形に形成された断熱材を複数枚用意し、隣り合った断熱材の端面同士が重なるように配置して断熱層を施工する方法であって、隣り合った断熱材の端面同士を、厚さがおおよそ２．０〜６．０ｍｍの両面粘着テープによって接合することにより、前記隣り合った断熱材の端面間に不陸（凹凸）があっても前記両面粘着テープによって吸収することを可能ならしめている。
【００２３】
請求項８の発明は、四角形に形成された断熱材を複数枚用意し、隣り合った断熱材の端  面同士が重なるように配置して断熱層を施工する方法において、隣り合った断熱材の端面同士を、両面粘着テープを複数回重ね貼りして成る積層粘着層で接合することにより、前記隣り合った断熱材の端面間に不陸があっても前記積層粘着層によって吸収することを可能ならしめている。なお、請求項６〜８においても、防蟻性を要する場合は、粘着剤にチアメトキサム等の防蟻剤を混入したらよい。
【発明の効果】
【００２４】
請求項１の発明では、隣り合った断熱材が両面粘着テープで互いに接合されているため、多数枚の断熱材を並べて配置するにおいて、高さ等を揃えた状態に配置できる。このため、見栄えがよいと共に、高さ等を揃えるための後加工の手間を無くすこともできる。特に、型枠を取り外す工法では、型枠の内側に多数枚の断熱材が配置されていて、断熱材が高さが不揃いになりやすいため、請求項２のように、取り外し式の型枠を使用する工法に適用すると特に好適である。
【００２５】
また、断熱材の端面に凹凸（不陸）があって接合面に部分的に隙間が生じたり、寸法誤差や施工誤差によって隣り合った断熱材の間に全体的に隙間が生じたりしても、凹凸や寸法誤差、加工誤差を吸収して隙間を塞ぐことができるため、コンクリートが隙間から外側に流れ出る現象をしっかりと防止できる。その結果、断熱性の低下を防止できる。更に述べると、両面粘着テープは変形自在でかつ粘着層は圧縮変形するため、隙間をしっかりと塞ぐことができるのである。
【００２６】
断熱材間に隙間が生じる場合、隙間の大きさはまちまちであり、場合によって両面粘着テープの厚さより大きい間隔であることも想定される。この点、請求項３のように複数枚の両面粘着テープを使用すると、間隔が大きい隙間であってもごく簡単に塞ぐことができる。
【００２７】
請求項４のように、防蟻剤入りの断熱材を使用しつつ両面粘着テープも防蟻剤入りのものを使用すると、断熱材の接合部に隙間が生じてもシロアリの浸入を的確に阻止できる。このため、一々隙間にシール剤を充填する手間は不要になって、手間を掛けることなく高い防蟻性能を確保することができる。防蟻剤として請求項５のチアメトキサムを使用すると、人に対する高い安全性を確保しつつ、高い防蟻性能を確保できる。このため、特に好適である。
【００２８】
断熱材の大きさは対象個所によってまちまちであり、大きいものは１ｍ×２ｍ程度のものもある。このため、隣り合った断熱材の端面を突き合わせた場合の隙間もかなり大きくなる場合がある。隙間があまり大きくなり過ぎると不良品として交換すべきであり、許容限度は５ｍｍ程度であると云える。そして、一般に市販されている両面粘着テープにおける粘着層の厚さはコンマ数ミリ代であり、断熱材の隙間を吸収することはできない。これに対して請求項６の両面粘着テープは、粘着層の厚さがおおよそ２ｍｍ以上あるため、請求項７のような工法に使用することにより、断熱材間の凹凸をしっかりと吸収して、断熱材同士を隙間のない状態に接合することができる。
【００２９】
そして、粘着層の厚さが２ｍｍ以上というような厚さになると、粘着層を基材テープの長手側端まで位置させると、粘着層が基材テープの外側にはみ出て他の物に貼りついたり、ゴミやホコリが付着したりするおそれがあるが、本願請求項６では、基材テープの長手側縁には余白部があって、粘着層は基材テープの長手側端よりも内側に位置しているため、粘着層がはみ出て他の物に貼り付くことを防止できると共に、粘着層にゴミやホコリが付着することも防止又は著しく抑制できる。
【００３０】
両面粘着テープの保管や運搬では、ロールの軸線が鉛直姿勢なるようにして寝かせた状態で積み重ねているが、本願発明では、粘着層は基材テープの長手側端の内側に入り込んでいるため、上下に積み重ねても両面粘着テープ同士が貼り付くことはなくて、運搬や保管に際しての取り扱いが厄介になることはない。また、断熱材の端面間の隙間を無くすには、粘着層はできるだけ柔らかいので好ましいが、本願請求項６では、粘着層が柔らかくても基材テープの長手側端の外側にはみ出ることはないため、断熱材の隙間吸収機能と、両面粘着テープの取り扱いの容易性とを両立できるのである。なお、請求項６の両面粘着テープは、断熱材の接合に好適であるが、他の部材の接合にも使用可能である。
【００３１】
両面粘着テープにおける粘着層の厚さが例えば１ｍｍ程度であっても、請求項８のように、複数回重ね貼りすることにより、断熱材の端面間の隙間（不陸）を吸収するのに十分な厚さを確保することができる。
【図面の簡単な説明】
【００３２】
【図１】実施形態において施工途中の状態を示す斜視図である。
【図２】（Ａ）は図１の部分断面図、（Ｂ）は施工後の断面図である。
【図３】（Ａ）（Ｂ）（Ｄ）は接合例の平面図、（Ｃ）は（Ｂ）のＣ−Ｃ視断面図である。
【図４】それぞれ両面粘着テープの接着例を示す図である。
【図５】それぞれ両面粘着テープでの接合例を示す図である。
【図６】（Ａ）〜（Ｄ）はそれぞれ両面粘着テープによる接合例を示す図、（Ｅ）は残存型枠に適用した例の斜視図である。
【図７】両面粘着テープの具体例とその使用例を示す図で、（Ａ）は両面粘着テープの概略正面図、（Ｂ）は（Ａ）のＢ−Ｂ視部分断面図、（Ｃ）は（Ｂ）の別例図、（Ｄ）は両面粘着テープの概略斜視図、（Ｅ）は使用例を示す部分斜視図である。
【図８】従来技術の問題を示す図である。
【発明を実施するための形態】
【００３３】
(1).施工方法の基本
本願発明（請求項１の発明）の施工方法は基本的な手順は従来と同様であり、その例を図１，２に示している。すなわち、この工法は木造住宅の断熱基礎１の施工に関するものであり、図１では、２つの基礎１が平面視で直角に交わった状態を表示している。
【００３４】
基礎１は、内外の型枠２，３を使用して構築される。型枠２，３は型板４と水平状の枠材５とを備えており、内外の型枠２，３は、セパレータ６によって間隔が保持されている。内外の型枠２，３で挟まれた基礎部空間７には、基礎鉄筋８を配置している（図１では基礎鉄筋８は省略している。）。基礎１は土中に入り込んでいる。このため、施工に際しては、地面に基礎溝９を堀り込んでおり、外型枠３は基礎溝９の底で支持している。型枠２，３は、図示しない支持具によって倒れ不能に保持されている。
【００３５】
本例は、基礎１で囲われた内部もコンクリートを打設するベタ基礎としており、このため、基礎１で囲われた内部空間にはベタ部１０を構成するベタ部鉄筋１１が配置されている。ベタ部鉄筋１１は、図示しないスペーサによって地面に支持されている。内側の型枠２，３は地面から浮いた状態に配置されており、ベタ部１０と基礎１とは一体に連続している。内側の型枠２は、セパレータ６のみで高さを保持してもよいし、ベタ部鉄筋１１で支持してもよい。
【００３６】
内外の型枠２，３の相対向した内面には、発泡スチロールのような発泡樹脂より成る断熱材（断熱パネル）１３の群が、水平方向に並べて配置されている。断熱材１３は四角形であり、基準寸法（例えば１ｍ×２ｍや、９０ｃｍ×１８０ｃｍ）に製造されたものを、現場に合わせてカットして使用している。厚さは、５０ｍｍのものと１００ｍｍのものとが多い。カットは工場で行う場合と現場で行う場合とがある。大半を工場でカットして、現場で微調整のカットを行うこともある。なお、内外の型枠２，３のうち、片方のみに断熱材１３を配置する場合もある。
【００３７】
内側の型枠２はベタ部８の上に配置されているので、内側の型枠２に配置する断熱材１３の高さ（上下幅）は、外側の型枠３に配置する断熱材１３の高さよりも遥かに小さい寸法になっている。断面凸形等の布基礎の場合は、内外の型枠２，３は同じ高さになるので、内外の型枠２，３に同じ高さの断熱材１３が使用される。断熱材１３は、普通はセパレータ６で型枠２，３に押さえ固定されているが、予め、接着剤（粘着剤）や両面粘着テープで固定することも可能である。
【００３８】
図２（Ａ）に白抜き矢印Ｘに示すように、基礎部空間７とベタ部１０とに生コンクリートが打設される。そして、コンクリートが固まったら型枠２，３を取り外して、矢印Ｙに示すように基礎溝９が土で埋め戻される。基礎溝９を土で埋め戻さずに、コンクリートを打設することも可能である。この場合は、基礎溝９にも鉄筋が配置されると共に、外側の型枠３と断熱材１３とは、地面よりも上に配置される。
【００３９】
型枠２，３を取り外すと、内外の断熱材１３が露出する。そこで、少なくとも外側の断熱材１３にモルタル層１４を塗工している。内側の断熱材１３にもモルタル１４を塗工することは可能であるが、内側の断熱材１３には物が当たることはないため、露出させたままであってもよい。基礎１の上面には、土台の角材１５が直接に又は樹脂製スペーサを介して載置し固定されており、土台の角材１５に支柱１６が立設される。
【００４０】
(2).断熱材の配置工程
断熱材１３は、既述のように、型枠２，３の型板４に予め接着剤や両面粘着テープ等で固定されているか、又は、現場に立設した型板４に固定していく（先に、断熱材１３を型板４に固定しておくのが合理的である。）。いずれにしても、断熱材１３は１つの型枠２，３に対して多数枚が使用されるので、端から順に並べて固定していくことになる。そして、この工程で、図３（Ａ）に示すように、各断熱材１３を両面粘着テープ１７接合していく。両面粘着テープ１７は、断熱材１３の厚さと同じ幅寸法に設定している。
【００４１】
具体的な手順の例としては、基材テープ（離型紙、剥離紙）（図示せず）に粘着剤を塗工してロール状に巻いた両面粘着テープ１７を用意しておいて、図３（Ａ）に示すように、ロールを伸ばしながら粘着剤を先行した各断熱材１３の接合面に貼り付けていき、先行した断熱材１３の接合面に両面粘着テープ１７を貼り終えたら基材テープをカットして引き剥がし、先行した断熱材１３を型板４に配置固定してから、次の断熱材１３に両面粘着テープ１７を貼り付けて、先行した断熱材１３に重ねて接合する、という手順を繰り返すことができる。断熱材１３の接合は、上下高さを揃えた状態で行われる。治具を使用して高さを揃えておくと、より好適である。
【００４２】
図３（Ａ）とは逆に、先に配置した断熱材１３の端面は露出させておいて、次に配置する断熱材１３の先端面に両面粘着テープ１７を貼り付けておく、という方法も採用可能である。
【００４３】
両面粘着テープ（正確には粘着層）１７は、例えば厚さが２．５〜５．０ｍｍ程度ある。このため、図３（Ｃ）に例示するように、断熱材１３の端面に凹凸があってもこれを吸収して、断熱材１３を隙間のない状態で接合することができる。なお、基材テープは、例えば、クラフト紙や樹脂テープ等の基材の表裏両面にシリコーン等の剥離層を塗工したものが使用される。両面粘着テープ１７を構成する粘着剤は、未加硫ブチルや、硬度が低い樹脂接着剤を使用できる。耐久性と柔らかさの点からは、未加硫ブチルが好適である。
【００４４】
両面粘着テープ１７には、防蟻剤の一例としてチアメトキサムが練り込まれている。また、断熱材１３にもチアメトキサムが混合されている。チアメトキサム入りの断熱材１３は、例えば、本願出願人が特許権を共用する第５２３５０６６号の方法で製造できる。
【００４５】
基礎１の交叉部では、例えば図３（Ｂ）に示すように、一方の断熱材１３の端面が他方の断熱材１３の広幅面（内面）に当接している。そこで、一方の断熱材１３の端面に、基材テープを残した状態で両面粘着テープ１７を貼り付けておいて、基材テープを剥がしてから他方の断熱材１３を重ねている。両面粘着テープ１７を、他方の断熱材１３の広幅面に貼り付けておいてもよい。
【００４６】
断熱材１３を現場でカッター等でカットすると、カット面に凹凸が発生して、隣り合った断熱材１３の接合個所に隙間が空いてしまうことがある。この場合でも、上記したとおり、隙間を完全に塞いだ状態に接合できる。このため、コンクリートの流れ込みを確実に阻止できると共に、防蟻シール剤の注入の手間を掛けることなくシロアリの浸入を阻止できる。
【００４７】
部材の加工誤差や施工の誤差により、隣り合った断熱材１３の間に例えば数ｍｍといった大きな隙間が空いてしまことも有り得る。この場合は、図３（Ｄ）に示すように、複数枚の両面粘着テープ１７を重ね貼りすることにより、隙間をきっちり詰めることができる。従って、断熱材１３をカットし直して付け直すといった手間は不要になる。なお、隙間が大き過ぎる場合は、断熱材１３をある程度カットして、別に用意した断熱材１３を嵌め込んだらよい。この場合も、断熱材１０の端面に両面粘着テープ１７を貼っておくことで凹凸を吸収できる。
【００４８】
(3).他の両面粘着テープ利用形態
図４〜図６では、両面粘着テープ１７の利用態様の別例を示している。このうち図４（Ａ）では、断熱材１３の端面に大きな凹み２１が形成されている場合において、凹み２１の個所に短く切った充填用粘着テープ２２を貼り付けて、充填用粘着テープ２２を覆う状態で主たる両面粘着テープ１７を貼り付けている。充填用粘着テープ２２は、両面粘着テープを使用してもよいし、片面テープを使用してもよい。いずれにおいても、充填用粘着テープ２２と両面粘着テープ１７との厚さを異ならせることは可能である。
【００４９】
図４（Ｂ）に示す例では、凹み２１に不定形シール剤２３に充填し、その上から両面粘着テープ１７を貼っている。シール剤２３は発泡性のものでもよいが、ガンで押し出し吐出できる非発泡方式のものが好ましい。粘度状のものを使用して、ヘラやコテによって表面を平坦状に均しておいてもよい。いずれにしても、断熱材１３が防蟻剤入りの場合は、シール剤２３にもチアメトキサム等の防蟻剤を混入してく必要である。
【００５０】
断熱材１３の端部を斜めにカットしてしまったり、型枠２，３の鉛直性が出ていなかったりすることにより、隣り合った断熱材１３の間にクサビ形の隙間が空くことがある。この場合、隙間の広がり角度が小さく場合は、単に両面粘着テープ１７を介在させることで隙間を埋めることができるが、隙間の最大間隔が両面粘着テープ１７の厚さより大きい場合は、図４（Ｃ）に示すように、長さを順次異ならせた複数枚の補助粘着テープ２４を貼り付けることによって、隙間を埋めることができる。
【００５１】
この場合、補助テープ２４は両面粘着テープ１７をそのまま使用してもよいし、片面テープを使用してもよい。補助テープ２４として両面粘着テープ１７を使用すると、補助テープ２４の群に対して隣りの断熱材１３を貼り付けることが可能である。
【００５２】
図５では、断熱材１３の厚さよりも両面粘着テープ１７の幅寸法が大きい場合の処理方法を例示している。（Ａ）では、隣り合った断熱材１３の端面にそれぞれ両面粘着テープ１７を貼り付けて、余長部分１７ａをそれぞれ断熱材１３の内面に貼り付けている。（Ｂ）では、片方の断熱材１３のみに両面粘着テープ１７を貼り付けており、余長部分は片方の断熱材１３に貼り付けている。敢えて述べるまでもないが、余長部分１７ａはナイフや挟で切除してもよい。
【００５３】
図６では、基礎１に向けて開口した隙間がある場合の処理方法を示しており、（Ａ）（Ｂ）のいずれにもおいても、隣り合った断熱材１３の内面に跨がるように目張りテープ２５を貼っている。
【００５４】
防蟻性が必要なくて、両面粘着テープ１７がコンクリートの流れ防止と断熱材１３の位置決めとの機能を専らとする場合は、（Ａ）のように、隙間は残しておいてもよい。他方、防蟻剤入りの断熱材１３を使用している場合は、（Ｂ）に示すように、隙間に防蟻性シール剤２３を充填したらよい。
【００５５】
図６（Ｃ）（Ｄ）では、粘着剤層１９の幅と断熱材１３の厚さとが異なる場合の別例であり、（Ａ）の例では、粘着剤層１９の幅は断熱材１３の厚さの半分になっているので、断熱材１３の端面に両面粘着テープ１７を２列にして隙間のない状態に貼っている。断熱材１３は厚さが５０ｍｍのものと１００ｍｍのものとが多いので、５０ｍｍ幅の両面粘着テープ１７しかない場合、この方法で対処できる。
【００５６】
（Ｂ）に示す例では、両面粘着テープ１７の幅は断熱材１３の厚さの半分よりも小さくなっている。そこで、両面粘着テープ１７を表面側と内面側とに２列に貼り付けて、両者の間に隙間を空けている。防蟻性能が必要ない場合は、このような態様も採用できる。
【００５７】
図６（Ｅ）は、残存型枠パネル２６に断熱材１３を一体に接合した複合パネル２７に適用しており、複合パネル２７の外周面に両面粘着テープ１７を貼り付けている。図では４周に両面粘着テープ１７を貼っているが、隣り合った複合パネル２７の間に１枚の両面粘着テープ１７が存在していたら足りる。複合パネル２７が内断熱用である場合は、残存型枠パネル２６は合板のような木質系でもよいが、外断熱用である場合は、残存型枠パネル２６は、窯業系やセメント系のような無機素材製であるのが好ましい。
【００５８】
図６（Ｅ）の例から理解できるように、本願発明は、コンクリート製建物の壁の構築にも適用できる。
【００５９】
(4).両面粘着テープの好適な具体例
図７では、両面粘着テープ１７の具体例を示している。両面粘着テープ１７は、基材テープ１７ａの片面に粘着層１７ｂを塗工して、これを芯筒１７ｃに巻いたロール状の形態になっている。基材テープ１７ａはクラフト紙や樹脂フィルムが使用されており、その表裏両面には、粘着層１７ｂの剥離のため（離型のため）、シリコーン等の離型層（離型膜）が形成されている。粘着層１７ｂは、例えば、既述した未加硫ブチルが使用されている。なお、従前の実施形態と図７とを対比すると、正確には、従前の１７で示していた「両面粘着テープ」は、図７では粘着層１７ｂに相当する。
【００６０】
粘着層１７ｂは、厚さＴが２．５〜５．０ｍｍ程度であり、基材テープ１７ａの長手側端と粘着層１７ｂとの間には、ある程度の寸法Ｅの間隔があいている。このため、基材テープ１７ａの左右長手側部には、粘着層１７ｂが重なっていない余白部（露出部）１７ｄが存在している。余白部１７ｄの幅寸法Ｅは、粘着層１７ｂの厚差寸法Ｔと同じ程度か、それよりも少し大きい程度に設定しているが、少なくとも２〜３ｍｍ程度あったら足りると云える。
【００６１】
両面粘着テープ１７には物が当たったり、両面粘着テープ１７を人が強く掴んだりすることがあり、このため、基材テープ１７ａが加圧されて粘着層１７ｂが大きく潰れる場合が有り得る。この場合でも、余白部１７ｄの幅寸法Ｅが粘着層１７ｂの厚差寸法Ｔ程度あれば、粘着層１７ｂが基材テープ１７ａの外側にはみ出ることを確実に防止できる。従って、Ｅは、Ｗと略同じかやや大きいのが好ましいとい云える。
【００６２】
基材テープ１７ａの厚さは、例えば２０〜１００μｍ程度である。粘着層１７ｂの幅寸法Ｗは断熱材１３の厚さに対応して設定したらよいが、断熱材１３の厚さと同一であると、施工後に粘着剤が外側にはみ出やすいので、粘着層１７ｂの幅寸法をＷを断熱材１３の幅よりも少し小さくしておいてもよい。具体的には、厚さが５０ｍｍの断熱材１３に対しては粘着層１７ｂの幅Ｗを４０〜４５ｍｍ程度に設定し、厚さが１００ｍｍの断熱材１３に対して、粘着層１７ｂの幅Ｗを９０〜９５ｍｍ程度に設定できる。
【００６３】
この両面粘着テープ１７は、従前の実施形態で説明した基礎１の施工に使用できることはもとより、図７（Ｅ）に示すようにパネル２８に多数枚の断熱材１３を敷設する場合や、建物の基礎壁に断熱材１３を敷設する場合に広く適用できる。従って、外断熱や内断熱の施工に好適である。粘着剤に防蟻剤を混入しておくと、シロアリ対策としても万全である。
【００６４】
基材テープ１７ａはある程度の腰があるので、多数の両面粘着テープ１７を、軸線を鉛直姿勢にした寝かせた状態でも、余白部１７ｄを変形させることなく載置できる。このため、例えば、厚紙をスペーサとして多段に積み重ねることができる。従って、保管や運搬も手間をかけるなことなく行える。
【産業上の利用可能性】
【００６５】
本願発明は、建物の施工及び両面粘着テープに具体化できる。従って、産業上利用できる。
【符号の説明】
【００６６】
Ｃ  コンクリート
１  木造建物のコンクリート基礎
２，３  型枠
４  型板
５  フレーム材
７  鉄筋
８  ベタ部
１０  断熱材
１７  両面粘着テープ
１７ａ  基材テープ
１７ｂ  粘着層
１７ｃ  芯筒
１７ｄ  余白部（露出部）
２１  凹み
【図１】
2016223281.tif 000003
【図２】
2016223281.tif 000004
【図３】
2016223281.tif 000005
【図４】
2016223281.tif 000006
【図５】
2016223281.tif 000007
【図６】
2016223281.tif 000008
【図７】
2016223281.tif 000009
【図８】
2016223281.tif 000010